(57)【要約】【課題】第一の標準記録媒体から第二の標準記録媒体に変更した場合でも、簡易な変更で、第二の標準記録媒体と非標準記録媒体とに形成される画像の見かけ上の色を一致させることが可能となる。【解決手段】第一の標準記録媒体に形成されたカラーパッチ群の測色値を予め記憶する記憶部７と、記憶部７から取得した第一の標準記録媒体に形成されたカラーパッチ群の測色値、第二の標準記録媒体の分光反射率、及び非標準記録媒体の分光反射率に基づいて、非標準記録媒体に形成される画像の見かけ上の色を第二の標準記録媒体に形成される画像の見かけ上の色と一致させるための補正パラメータを設定する補正パラメー設定部６Ａと、補正パラメータに基づいて、第二の標準記録媒体のカラープロファイルを非標準記録媒体に対応する値に修正することにより、非標準記録媒体に対応したカラープロファイルを生成する補正パラメー設定部６Ａ、を備えている。【選択図】図１
2016052038.tif 000002
【特許請求の範囲】
【請求項１】
画像形成装置により画像を形成される記録媒体であって、夫々のカラープロファイルが異なる第一の標準記録媒体、又は第二の標準記録媒体に形成される画像の見かけ上の色と、カラープロファイルが異なる非標準記録媒体に形成される画像の見かけ上の色とを一致させるように補正パラメータを設定する画像処理装置であって、
前記第一の標準記録媒体に形成されたカラーパッチ群の測色値を予め記憶する記憶手段と、
前記記憶手段から取得した前記第一の標準記録媒体に形成されたカラーパッチ群の測色値、前記第二の標準記録媒体の分光反射率、及び前記非標準記録媒体の分光反射率に基づいて、非標準記録媒体に形成される画像の見かけ上の色を前記第二の標準記録媒体に形成される画像の見かけ上の色と一致させるための補正パラメータを設定する補正パラメー設定手段と、
前記補正パラメータに基づいて、前記第二の標準記録媒体のカラープロファイルを前記非標準記録媒体に対応する値に修正することにより、前記非標準記録媒体に対応したカラープロファイルを生成するカラープロファイル生成手段と、を備えたことを特徴とする画像処理装置。
【請求項２】
前記第二の標準記録媒体の分光反射率を取得する第二の標準記録媒体分光反射率取得手段と、
前記非標準記録媒体の分光反射率を取得する非標準記録媒体分光反射率取得手段と、
前記第二の標準記録媒体のカラープロファイルを取得するカラープロファイル取得手段と、を備えたことを特徴とする請求項１記載の画像処理装置。
【請求項３】
前記補正パラメータ設定手段は、
前記第一の標準記録媒体に形成されたカラーパッチ群の測色値、及び前記第二の標準記録媒体の分光反射率に基づいて、前記第二の標準記録媒体に形成された前記カラーパッチ群の出力色を予測する第二の標準記録媒体出力色予測手段と、
前記第一の標準記録媒体に形成したカラーパッチ群の測色値、及び前記非標準記録媒体の分光反射率に基づいて、前記非標準記録媒体に形成された前記カラーパッチ群の出力色を予測する非標準記録媒体出力色予測手段と、を備え、
前記第二の標準記録媒体に形成された前記カラーパッチ群の出力色の予測値、及び前記非標準記録媒体に形成された前記カラーパッチ群の出力色の予測値に基づいて、前記非標準記録媒体に形成される画像の見かけ上の色を前記第二の標準記録媒体に形成される画像の見かけ上の色と一致させるための補正パラメータを設定することを特徴とする請求項１記載の画像処理装置。
【請求項４】
前記第一の標準記録媒体に形成されたカラーパッチ測色値は、当該カラーパッチが形成されていない部分の第一の標準記録媒体の分光反射率の測色値を含み、
前記第二の標準記録媒体出力色予測手段は、
前記第一の標準記録媒体の分光反射率、及び前記第二の標準記録媒体の分光反射率に基づいて、前記第一の標準記録媒体と前記第二の標準記録媒体との間の蛍光レベル差を算出し、算出された前記第一の標準記録媒体と前記第二の標準記録媒体との間の蛍光レベル差に基づいて、前記第一の標準記録媒体に形成されたカラーパッチ群の測色値を変換して前記第二の標準記録媒体に形成された前記カラーパッチ群の出力色の予測値とすることを特徴とする請求項３記載の画像処理装置。
【請求項５】
前記第一の標準記録媒体に形成されたカラーパッチ測色値は、当該カラーパッチが形成されていない部分の第一の標準記録媒体の分光反射率の測色値を含み、
前記非標準記録媒体出力色予測手段は、
前記第一の標準記録媒体の分光反射率、及び前記非標準記録媒体の分光反射率に基づいて、前記第一の標準記録媒体と前記非標準記録媒体との間の蛍光レベル差を算出し、算出された前記第一の標準記録媒体と前記非標準記録媒体との間の蛍光レベル差に基づいて、前記第一の標準記録媒体に形成されたカラーパッチ群の測色値を変換して前記非標準記録媒体に形成した前記カラーパッチ群の出力色の予測値とすることを特徴とする請求項３記載の画像処理装置。
【請求項６】
前記分光反射率は、当該記録媒体の白色部分の分光反射率であることを特徴とする請求項１乃至５の何れか１つに記載の画像処理装置。
【請求項７】
画像形成装置により画像を形成される記録媒体であって、夫々のカラープロファイルが異なる第一の標準記録媒体、又は第二の標準記録媒体に形成される画像の見かけ上の色と、カラープロファイルが異なる非標準記録媒体に形成される画像の見かけ上の色とを一致させるように補正パラメータを設定する画像処理方法であって、
前記第一の標準記録媒体に形成されたカラーパッチ群の測色値を予め記憶手段に記憶する記憶ステップと、
前記記憶手段から取得した前記第一の標準記録媒体に形成されたカラーパッチ群の測色値、第二の標準記録媒体の分光反射率、及び非標準記録媒体の分光反射率に基づいて、前記非標準記録媒体に形成される画像の見かけ上の色を前記第二の標準記録媒体に形成される画像の見かけ上の色と一致させるための補正パラメータを設定する補正パラメー設定ステップと、
前記補正パラメータに基づいて、前記第二の標準記録媒体のカラープロファイルを前記非標準記録媒体に対応する値に修正することにより、前記非標準記録媒体に対応したカラープロファイルを生成するカラープロファイル生成ステップと、を備えたことを特徴とする画像処理方法。
【請求項８】
請求項７記載の各ステップをプロセッサに実行させることを特徴とするプログラム。
【発明の詳細な説明】
【技術分野】
【０００１】
本発明は、蛍光を含む非標準記録媒体に色再現して画像を形成するのに好適な画像処理装置、画像処理方法、及びプログラムに関する。
【背景技術】
【０００２】
従来、カラー画像形成装置においては、標準記録媒体とは蛍光特性が異なる非標準記録媒体で出力する場合であっても、理想的には同じ色で出力することが求められる。そのため、標準記録媒体の分光反射率と非標準記録媒体の分光反射率に基づいて蛍光レベル差を算出し、記録媒体間の見かけの色を一致させるための補正パラメータを設定して、標準記録媒体との差を補正する補正処理を行なう、あるいは、非標準記録媒体に対応したカラープロファイルを標準記録媒体のプロファイルを修正することで簡易に作成して適用する技術が既に知られている。
【０００３】
特許文献１には、異なる記録媒体に対応した補正パラメータ設定およびカラープロファイル生成を簡易に行う目的で、出力に使用する非標準記録媒体（ユーザが使用する記録媒体）の分光反射率を取得し、この分光反射率、及び標準記録媒体に形成した多数のカラーパッチ分光反射率（白色部分の分光反射率も含む、予め測色して記憶されたもの）に基づいて、蛍光レベル差を補正する補正パラメータを設定し、補正パラメータに基づいて標準記録媒体のカラープロファイルを修正して非標準記録媒体に対応したカラープロファイルを生成する工程が開示されている。
ここで、特許文献１について図面を参照して説明する。図１７は、特許文献１の構成について説明するための図である。
特許文献１では、第一の標準記録媒体への出力色と、非標準記録媒体への出力色が一致するように、補正パラメータを決める場合、第一の標準記録媒体に関して必要になるデータは、第一の記録媒体対応カラープロファイル１４と、第一の記録媒体に形成したカラーパッチ群の測色値１０になる。これらは、予め取得して記憶部７に記憶されている。
標準記録媒体に関して予め用意した多くのデータを必要とする代わりに、非標準記録媒体に関しては白色部分の測色だけでよい、という構成になっている。
図１８は、特許文献１において、標準記録媒体を変更する場合の構成について説明するための図である。
まず、第一の標準記録媒体対応カラープロファイル１４から、第二の標準記録媒体対応カラープロファイル９に変更する必要がある。
次に、第一の記録媒体に形成したカラーパッチ群の測色値１０を、第二の記録媒体に形成したカラーパッチ群の測色値１５に変更する必要がある。しかし、この変更作業は、非標準記録媒体に関する測色が簡易になるような構成にしたことに起因して余分に発生した作業と考えられる。
【０００４】
特許文献２には、ユーザが画像出力を行おうとするユーザ用紙の特性に合致した色変換を精度良く行う目的で、予め設定された複数の標準用紙の中から、ユーザ用紙と特性が近似する標準用紙を選択し、選択された標準用紙に対応するプリンタプロファイルと、ユーザ用紙に対応して生成されたプリンタプロファイルとに基づいて、標準用紙用の画像データをユーザ用紙用の画像データに変換する色変換テーブルを作成する技術が開示されている。
【発明の概要】
【発明が解決しようとする課題】
【０００５】
しかし、今までの標準記録媒体との差を補正する補正処理を行なう、あるいは、非標準記録媒体に対応したカラープロファイルを標準記録媒体のプロファイルを修正することで簡易に作成して適用する方法では、元となる標準記録媒体を変更したいというユーザからの要望があった場合に、標準記録媒体の変更を簡易に行うことができない（新たな標準記録媒体に関して多くの測色が必要になる）という問題があった。
特許文献１にあっては、標準記録媒体のカラープロファイルから簡易に非標準記録媒体のカラープロファイルを作成する点が開示されている。しかし、元となる標準記録媒体を変更したいというユーザからの要望があった場合に、標準記録媒体の変更を簡易に行うことができない（新たな標準記録媒体に関して多くの測色が必要になる）という問題は解消できていない。
特許文献２にあっては、標準用紙のプリンタプロファイルから非標準用紙の出力色を補正する色変換テーブルを生成する技術であり、かつ標準用紙の変更を想定している点が開示されている。
しかし、「標準記録媒体のカラープロファイルから“簡易に”非標準記録媒体のカラープロファイルを生成する方法」という前提がそもそも成り立っておらず、非標準記録媒体のカラープロファイル生成に必要なユーザ用紙に対応して生成されたプリンタプロファイルを生成するのに、多くの測色を必要とするという問題は解消できていない。
本発明は、上記に鑑みてなされたもので、その目的としては、第一の標準記録媒体から第二の標準記録媒体に変更した場合でも、簡易な変更で、第二の標準記録媒体に形成される画像の見かけ上の色と、カラープロファイルが異なる非標準記録媒体に形成される画像の見かけ上の色とを一致させることが可能な画像処理装置、画像処理方法、及びプログラムを提供することにある。
【課題を解決するための手段】
【０００６】
請求項１記載の発明は、上記課題を解決するため、画像形成装置により画像を形成される記録媒体であって、夫々のカラープロファイルが異なる第一の標準記録媒体、又は第二の標準記録媒体に形成される画像の見かけ上の色と、カラープロファイルが異なる非標準記録媒体に形成される画像の見かけ上の色とを一致させるように補正パラメータを設定する画像処理装置であって、前記第一の標準記録媒体に形成されたカラーパッチ群の測色値を予め記憶する記憶手段と、前記記憶手段から取得した前記第一の標準記録媒体に形成されたカラーパッチ群の測色値、前記第二の標準記録媒体の分光反射率、及び前記非標準記録媒体の分光反射率に基づいて、非標準記録媒体に形成される画像の見かけ上の色を前記第二の標準記録媒体に形成される画像の見かけ上の色と一致させるための補正パラメータを設定する補正パラメー設定手段と、前記補正パラメータに基づいて、前記第二の標準記録媒体のカラープロファイルを前記非標準記録媒体に対応する値に修正することにより、前記非標準記録媒体に対応したカラープロファイルを生成するカラープロファイル生成手段と、を備えたことを特徴とする。
【発明の効果】
【０００７】
本発明によれば、第一の標準記録媒体に形成されたカラーパッチ群の測色値、第二の標準記録媒体の分光反射率、及び非標準記録媒体の分光反射率に基づいて、非標準記録媒体に形成される画像の見かけ上の色を第二の標準記録媒体に形成される画像の見かけ上の色と一致させるための補正パラメータを設定し、補正パラメータに基づいて、第二の標準記録媒体のカラープロファイルを非標準記録媒体に対応する値に修正することにより、非標準記録媒体に対応したカラープロファイルを生成するという簡易な変更で、第二の標準記録媒体に形成される画像の見かけ上の色と、カラープロファイルが異なる非標準記録媒体に形成される画像の見かけ上の色とを一致させることができる。
【図面の簡単な説明】
【０００８】
【図１】本発明の第１実施形態に係る画像処理装置について説明するための図である。
【図２】本発明の第１実施形態に係る画像処理方法を実行する蛍光補正部の構成を示すブロック図である。
【図３】図１に示す補正パラメータ設定部について説明するための図である。
【図４】図３に示す第二の標準記録媒体出力色予測部について説明するための図である。
【図５】図３に示す記録媒体出力色予測部について説明するための図である。
【図６】図４に示す蛍光レベル差算出処理モジュール、図５に示す蛍光レベル差算出処理モジュールについて説明するための図である。
【図７】（ａ）〜（ｃ）は、蛍光レベル差算出で算出する蛍光レベル差について説明するための図である。
【図８】蛍光レベル差算出で使用するＵＶカットフィルタなしとありの差分の基本波形について説明するための図である。
【図９】測色器の機種差を補正する測色器パラメータについて、説明するための図である。
【図１０】蛍光レベル変換処理モジュールについて説明するための図である。
【図１１】（ａ）（ｂ）は、非標準記録媒体間分光反射率差分推定について説明するための図である。
【図１２】記録媒体間分光反射率差分推定で使用する色材マスキングパラメータについて説明するための図である。
【図１３】（ａ）〜（ｇ）は、標準記録媒体に形成したパッチ分光反射率、及び、合成について説明するための図である。
【図１４】本発明の第一の実施形態の変形例について説明するための図である。
【図１５】本発明の第二の実施形態に係る画像処理装置について説明するための図である。
【図１６】図１５の補正パラメータ設定部について説明するための図である。
【図１７】従来の特許文献１の構成について説明するための図である。
【図１８】従来の特許文献１において標準記録媒体を変更する場合の構成について説明するための図である。
【発明を実施するための形態】
【０００９】
本発明の実施形態について説明する。
本発明は、蛍光特性が異なる非標準記録媒体に対応した補正パラメータ設定又はカラープロファイル作成に際して、以下の特徴を有する。
本実施形態によれば、第一の標準記録媒体に形成した多数パッチ（カラーパッチ群）の測色値を用いることで、標準記録媒体を第一の標準記録媒体から第二の標準記録媒体に変更し、第二の標準記録媒体と非標準記録媒体との差を補正する補正処理を行う場合であっても、第二の標準記録媒体に対応したカラープロファイルを予め作成して記憶する以外は、第二の標準記録媒体の白色１点の測定、及び非標準記録媒体の白色１点の測定のみで、補正パラメータを設定することができ、第二の標準記録媒体への前記カラーパッチ群出力および測色の必要がないことが特徴になっている。
以下、図面を参照して、本発明の実施形態について説明する。
【００１０】
＜第１実施形態＞
図１は、本発明の第１実施形態に係る画像処理装置１００について説明するための図である。
図１は、本発明の第１実施形態に係る画像処理装置１００の構成を示す図である。画像処理装置１００は、例えば、制御ＰＣ及び制御ＰＣに搭載された拡張ハードウエアと制御ソフトウエアにより実現されている。
制御ＰＣは、内部にＲＯＭ（Read Only Memory）、ＲＡＭ（Random Access Memory）、ＣＰＵ（Central Processing Unit）、ＨＤＤ（Hard Disk Drive）を備えている。制御ＰＣは、ＨＤＤからオペレーティングシステムＯＳを読み出してＲＡＭ上に展開してＯＳを起動し、ＯＳ管理下において、ＨＤＤからプログラム（処理モジュール）を読み出し、各種処理を実行する。
画像処理装置１００は、画像処理プロセスを実現するための機能構成として、図１に示すように、入力画像取得部１と、蛍光補正部２Ａと、色変換部３Ａと、プリンタ出力部４とを備えている。
さらに、画像処理装置１００は、非標準記録媒体分光反射率取得部５Ａと、記録媒体測色器情報取得部１１と、第二の標準記録媒体分光反射率取得部１２と、第二の標準記録媒体測色器情報取得部１３と、補正パラメータ設定部６Ａと、記憶部７と、第二の標準記録媒体対応カラープロファイル取得部１７と、第一の標準記録媒体に形成したカラーパッチ群の測色値取得部１８とを備えている。
画像処理装置１００は、出力に使用する非標準記録媒体（ユーザが使用する非標準記録媒体）および第二の標準記録媒体の分光反射率を取得して補正パラメータを設定し、入力画像に対して補正パラメータに基づいて蛍光補正を行い、プリンタで画像形成して出力する。
なお、「標準記録媒体」以外の用紙等の媒体であり、ユーザが使用する用紙等の媒体は「記録媒体」と呼ぶ。「記録媒体」に対応する色変換パラメータが記憶部７に保持されていない。
【００１１】
非標準記録媒体分光反射率取得部５Ａは、ＵＶカットフィルタを装着しない状態の測色器を使用して非標準記録媒体の分光反射率を取得する。あるいは、分光反射率を直接測定して取得するのではなく、ＲＧＢ（レッド・グリーン・ブルー）の３バンドで非標準記録媒体を測定して分光特性の特徴量を検出する。このように非標準記録媒体分光反射率取得部５Ａは、非標準記録媒体の分光反射率を取得するステップを実行する。
記録媒体測色器情報取得部１１は、非標準記録媒体分光反射率取得部５Ａにて使用した測色器の測色器情報（機種情報）をユーザに入力してもらうことで取得する。
第二の標準記録媒体分光反射率取得部１２は、非標準記録媒体分光反射率取得部５Ａと同様に、ＵＶカットフィルタを装着しない状態での第二の標準記録媒体の分光反射率を取得するステップを実行する。
第二の標準記録媒体測色器情報取得部１３は、第二の標準記録媒体分光反射率取得部１２にて使用した測色器の測色器情報（機種情報）をユーザに入力してもらうことで取得する。
補正パラメータ設定部６Ａは、非標準記録媒体の分光反射率、非標準記録媒体の測色器情報、第二の標準記録媒体の分光反射率、第二の標準記録媒体の測色器情報、第一の標準記録媒体に形成した多数のカラーパッチ分光反射率（予め測色して記憶部７に記憶したデータ）、及び第二の標準記録媒体のカラープロファイルに基づいて、非標準記録媒体に形成される画像の見かけ上の色を第二の標準記録媒体に形成される画像の見かけ上の色と一致させるための補正パラメータを設定する。このように補正パラメータ設定部６Ａは、非標準記録媒体に形成される画像の見かけ上の色を標準記録媒体に形成される画像の見かけ上の色と一致させるためのステップを実行する。
入力画像取得部１は、ＲＧＢの色で形成されている入力画像データを取得する。ここでは、入力画像取得部１は、非標準記録媒体に形成する入力画像データを取得するステップを実行する。
【００１２】
蛍光補正部２Ａは、補正パラメータ設定部６Ａにて設定された補正パラメータに基づいて非標準記録媒体に形成される画像の見かけ上の色が第二の標準記録媒体に形成される画像の見かけ上の色と同じになるように、色値を補正する。蛍光補正後の色値は、Ｌａｂ均等色空間の色値として出力される。
色変換部３Ａは、記憶部７に記憶されている標準記録媒体プロファイルに基づいてＬａｂ均等色空間の色値を、出力に使用する色材色に対応した色値であるＣＭＹＫ（シアン・マゼンタ・イエロー・ブラック）に変換する。
プリンタ出力部４は、色値ＣＭＹＫに基づいて、非標準記録媒体上に色材であるトナーを載せて画像形成する。
第二の標準記録媒体対応カラープロファイル取得部１７は、第二の標準記録媒体対応カラープロファイルを取得する。
第一の標準記録媒体に形成したカラーパッチ群の測色値取得部１８は、第一の標準記録媒体に形成したカラーパッチ群の測色値を予め取得する。第一の標準記録媒体に形成したカラーパッチ群の測色値取得部１８が取得した第一の標準記録媒体に形成したカラーパッチ測色値は、色値０％のカラーパッチ、即ち実質カラーパッチが形成されていない部分の分光反射率（＝第一の標準記録媒体の分光反射率）の測色値を含む。
記憶部７は、第二の標準記録媒体に対応したカラープロファイルを記憶する。記憶部７は、第一の標準記録媒体に形成されたカラーパッチ群の測色値を予め記憶する。このように、記憶部７は、標準記録媒体に対応したカラープロファイルを記憶するステップを実行する。
【００１３】
図２は、図１に示す蛍光補正部２Ａは、ＲＧＢ→Ｌａｂ変換処理モジュール２０、Ｌａｂ→ＸＹＺ変換処理モジュール２１、マトリクス変換処理モジュール２２、Ｘ´Ｙ´Ｚ´→Ｌ´ａ´ｂ´変換処理モジュール２３を備えている。
制御ＰＣは、起動時にＨＤＤからオペレーティングシステムＯＳを読み出してＲＡＭ上に展開してＯＳを起動し、ＯＳ管理下において、ＨＤＤからプログラムである処理モジュールを読み出し、各種処理を実行する。以下、蛍光補正部２ＡにおいてＣＰＵにより実行される処理モジュールについて説明する。
マトリクス変換処理モジュール２２は、入力画像の色として捉えられている三刺激値ＸＹＺ値に対してマトリクス変換を行う。これにより、非標準記録媒体に含まれる蛍光増白剤の量が標準記録媒体と異なる場合であっても、非標準記録媒体間の色再現が一致するように色値を補正する。
ＸＹＺ値での変換実現のため、マトリクス変換前後で色空間の変換として、ＲＧＢ→Ｌａｂ変換処理モジュール２０でＲＧＢの値をＬａｂ値に変換する。次いで、Ｌａｂ→ＸＹＺ変換処理モジュール２１でＬａｂ値をＸＹＺ値に変換し、次いで、マトリクス変換処理モジュール２２でマトリックス変換する。次いで、Ｘ´Ｙ´Ｚ´→Ｌ´ａ´ｂ´変換処理モジュール２３で、マトリックス変換後のＸ´Ｙ´Ｚ´値をＬ´ａ´ｂ´値に変換する。
【００１４】
ＲＧＢ→Ｌａｂ変換処理モジュール２０は、ＲＧＢ値から成る入力画像データを均等色空間Ｌａｂの色値に変換する。Ｌａｂ→ＸＹＺ変換処理モジュール２１は、均等色空間Ｌａｂの色値をＸＹＺ値に変換する。
マトリクス変換処理モジュール２２は、以下の式１に従ってＸＹＺ値からＸ´Ｙ´Ｚ´値への変換を行う。ここで適用するマトリクス係数ｍ１１〜ｍ３４が、補正パラメータ設定部６Ａにて設定される補正パラメータである。
Ｘ´Ｙ´Ｚ´→Ｌ´ａ´ｂ´変換処理モジュール２３は、Ｘ´Ｙ´Ｚ´値を均等色空間の色値Ｌ´ａ´ｂ´に変換する。
2016052038.tif 000003
【００１５】
図３は、図１に示す補正パラメータ設定部６Ａについて説明するための図である。
補正パラメータ設定部６Ａは、第二の標準記録媒体出力色予測部６４と、記録媒体出力色予測部６５と、重回帰分析部６２と、白色補正部６３を備えている。
制御ＰＣは、起動時にＨＤＤからオペレーティングシステムＯＳを読み出してＲＡＭ上に展開してＯＳを起動し、ＯＳ管理下において、ＨＤＤからプログラムである処理モジュールを読み出し、各種処理を実行する。以下、補正パラメータ設定部６ＡにおいてＣＰＵにより実行される処理モジュールについて説明する。
第二の標準記録媒体出力色予測部６４は、第一の標準記録媒体に形成した多数のカラーパッチ分光反射率、第二の標準記録媒体の分光反射率、第二の標準記録媒体の測色器情報に基づいて、第二の記録媒体に形成した前記多数のカラーパッチの出力色の予測値を求める。
記録媒体出力色予測部６５は、第一の標準記録媒体に形成した多数のカラーパッチ分光反射率、非標準記録媒体の分光反射率、非標準記録媒体の測色器情報に基づいて、非標準記録媒体に形成した前記多数のカラーパッチの出力色の予測値を求める。
【００１６】
重回帰分析部６２は、非標準記録媒体に形成したパッチのＸＹＺから第二の標準記録媒体に形成したパッチのＸＹＺを予測する変換マトリクス係数ａ１１〜ａ３４を算出する。第二の標準記録媒体に形成した各パッチのＸＹＺ値を、（Ｘｓ１、Ｙｓ１、Ｚｓ１）、（Ｘｓ２、Ｙｓ２、Ｚｓ２）、（Ｘｓ３、Ｙｓ３、Ｚｓ３）、…とする。
【００１７】
非標準記録媒体における各パッチのＸＹＺ予測値（記録媒体出力色予測部６５の出力）を、（Ｘｕ１、Ｙｕ１、Ｚｕ１）、（Ｘｕ２、Ｙｕ２、Ｚｕ２）、（Ｘｕ３、Ｙｕ３、Ｚｕ３）、…とする。第二の標準記録媒体と非標準記録媒体のパッチのＸＹＺの組を式２に代入して、重回帰分析（平均二乗誤差最小）によりマトリクス係数ａ１１〜ａ３４を求める。
2016052038.tif 000004
白色補正部６３は、非標準記録媒体の分光反射率をＸＹＺに変換した値（Ｘｗ、Ｙｗ、Ｚｗ）に対して、重回帰分析部６２により求めた変換マトリクスを適用して式３−１で算出した値（Ｘｕｗ、Ｙｕｗ、Ｚｕｗ）と、第二の標準記録媒体の分光反射率をＸＹＺに変換した値（Ｘｓｗ、Ｙｓｗ、Ｚｓｗ）のズレを補正するための変換マトリクスを、重回帰分析部６２により求めた変換マトリクスに乗算して、補正パラメータｍ１１〜ｍ３４を算出する。算出式は式３−２になる。
式３−１
2016052038.tif 000005
式３−２
2016052038.tif 000006
【００１８】
図４は、図３に示す第二の標準記録媒体出力色予測部６４について説明するための図である。
第二の標準記録媒体出力色予測部６４は、第二の標準記録媒体の分光反射率及び第一の標準記録媒体に形成した多数のカラーパッチ分光反射率から、同じカラーパッチ群を第二の標準記録媒体に形成した場合の出力色の予測値を算出する。
第二の標準記録媒体出力色予測部６４は、蛍光レベル差算出処理モジュール６００と、蛍光レベル変換処理モジュール６０と、分光反射率→ＸＹＺ変換処理モジュール６１を備えている。
蛍光レベル差算出処理モジュール６００は、第二の標準記録媒体の分光反射率、第二の標準記録媒体の測色器情報、及び第一の標準記録媒体に形成したパッチ分光反射率に含まれる第一の標準記録媒体分光反射率（第一の標準記録媒体の白地部のパッチの分光反射率）から、記憶部７に記憶された蛍光レベル予測パラメータに基づいて、蛍光レベル差を算出する。
蛍光レベル変換処理モジュール６０は、蛍光レベル差に応じて第一の標準記録媒体に形成したパッチ分光反射率を変換し、同じカラーパッチ群を第二の標準記録媒体に形成した場合の予測分光反射率を求める。
分光反射率→ＸＹＺ変換処理モジュール６１は、第二の標準記録媒体に形成した場合の予測分光反射率を、三刺激値ＸＹＺに変換する。
【００１９】
図５は、図３に示す記録媒体出力色予測部６５について説明するための図である。
記録媒体出力色予測部６５は、非標準記録媒体の分光反射率及び第一の標準記録媒体に形成した多数のカラーパッチ分光反射率から、同じカラーパッチ群を非標準記録媒体に形成した場合の出力色の予測値を算出する。
記録媒体出力色予測部６５は、蛍光レベル差算出処理モジュール７００と、蛍光レベル変換処理モジュール７０と、分光反射率→ＸＹＺ変換処理モジュール７１とを備えている。
蛍光レベル差算出処理モジュール７００は、非標準記録媒体の分光反射率、第一の標準記録媒体の測色器情報、及び第一の標準記録媒体に形成したパッチ分光反射率に含まれる第一の標準記録媒体分光反射率（第一の標準記録媒体の白地部のパッチの分光反射率）から、記憶部７に記憶された蛍光レベル予測パラメータに基づいて蛍光レベル差を算出する。
蛍光レベル変換処理モジュール７０は、蛍光レベル差に応じて第一の標準記録媒体に形成したパッチ分光反射率を変換し、同じカラーパッチ群を非標準記録媒体に形成した場合の予測分光反射率を求める。
分光反射率→ＸＹＺ変換処理モジュール７１は、非標準記録媒体に形成した場合の予測分光反射率を、三刺激値ＸＹＺに変換する。
【００２０】
図６は、図４に示す蛍光レベル差算出処理モジュール６００、図５に示す蛍光レベル差算出処理モジュール７００について説明するための図である。
図６、図１０、及び以下の説明において、Ｘは、蛍光レベル差算出処理モジュール６００の場合は第二の標準記録媒体を指し、蛍光レベル差算出処理モジュール７００の場合は非標準記録媒体を指すこととする。
図６において、蛍光レベル差算出処理モジュール６００は、蛍光強さ予測処理モジュール６０４と、蛍光強さ予測処理モジュール６０５と、測色器パラメータ選択処理モジュール６０６と、測色器機種差補正処理モジュール６０７と、蛍光レベル差予測処理モジュール６０８とを備えている。
蛍光強さ予測処理モジュール６０４では、後述の式４−１に従って、第一の標準記録媒体の分光反射率から、蛍光強さ予測値ｆｓを算出する。
蛍光強さ予測処理モジュール６０５では、後述の式４−２に従って、Ｘの分光反射率から、蛍光強さ予測値ｆｕを算出する。
測色器パラメータ選択処理モジュール６０６では、Ｘの測色で使用した測色器の機種情報に応じて、対応する測色器パラメータを選択する。
測色器機種差補正処理モジュール６０７では、後述の式４−３に従って、第一の標準記録媒体の分光反射率取得に使用した測色器と、Ｘの分光反射率取得に使用した測色器の、機種差を補正する。Ｘの分光反射率から算出した蛍光強さ予測値ｆｕを、第一の標準記録媒体の分光反射率取得に使用した測色器を使用して取得した分光反射率から算出した蛍光強さ予測値ｆｕ’に変換する。
蛍光レベル差予測処理モジュール６０８では、後述の式５−２に従って、第一の標準記録媒体とＸの蛍光レベル差を予測する。
【００２１】
図７は、蛍光レベル差算出で算出する蛍光レベル差について説明するための図である。
図７（ａ）は、測色器にＵＶカットフィルタを装着しない状態で測色した、ＵＶカットフィルタなしでの非標準記録媒体の分光反射率を示している。
図７（ｂ）は、測色器にＵＶカットフィルタを装着した状態で測色した、ＵＶカットフィルタありでの非標準記録媒体の分光反射率を示している。
図７（ａ）、（ｂ）から分かるように、蛍光増白剤が多い（蛍光レベルが高い）非標準記録媒体は、（ａ）と（ｂ）の分光反射率波形が大きく異なる。蛍光増白剤が少ない（蛍光レベルが低い）非標準記録媒体は、（ａ）と（ｂ）の分光反射率波形が類似している。
図７（ｃ）に示すように、（ａ）ＵＶカットフィルタなしでの非標準記録媒体の分光反射率と（ｂ）測色器にＵＶカットフィルタを装着した状態での非標準記録媒体の分光反射率との差分である（ｃ）の波形のピークの高さを、各非標準記録媒体の蛍光レベルと定義する。ピークは４４０ｎｍ付近の波長で現れる。蛍光レベル差は、ピーク即ち４４０ｎｍにおける分光反射率の標準記録媒体との差分になる。
【００２２】
図８は、蛍光レベル差算出で使用するＵＶカットフィルタなしとありの差分の基本波形について説明するための図である。
蛍光レベル差算出処理モジュール６００では、非標準記録媒体と標準記録媒体の蛍光レベルを算出する。標準記録媒体の蛍光レベルは、予め算出して記憶部７に記憶しておいてもよい。
図７（ｃ）は、いずれも図８に示す基本波形を係数倍した形状で近似可能である。その係数こそが蛍光レベルである。蛍光レベルを算出する対象非標準記録媒体の（ａ）ＵＶカットなしでの分光反射率をＲｗ（λ）とし、標準記録媒体の（ａ）ＵＶカットなしでの分光反射率をＲｓ（λ）とし、算出する蛍光レベルをＲＦ（ｆ）とする。Ｒｓ（λ）、Ｒｗ（λ）のピークである４４０ｎｍと、蛍光増白剤の影響を受ける短波長側と蛍光増白剤の影響を受けない長波長側の境界である５２０ｎｍにおける分光反射率差分（蛍光強さ予測値）を、式４−１、式４−２のとおりｆｓ、ｆｕとする。Ｒｓ（λ）とＲｗ（λ）の取得に使用した測色器の機種差を補正する測色器パラメータ（ｍｃ０、ｍｃ１）を用いて、式４−３のとおり非標準記録媒体の蛍光強さ予測値ｆｕをｆｕ’に線形変換する。測色器パラメータ（ｍｃ０、ｍｃ１）は、Ｒｓ（λ）とＲｗ（λ）の取得に使用した測色器の機種が同じ場合は、（１、０）に設定される。蛍光レベルＲＦ（ｆ）は式５−１のとおり（ａ）ＵＶカットなしでの蛍光強さ予測値ｆの線形変換で近似できる。
【００２３】
式４−１、式４−２では、ＸのＵＶカットなしでの分光反射率をＲｗ（λ）とし、第一の標準記録媒体のＵＶカットなしでの分光反射率をＲｓ（λ）としている。
式４−３の（ｍｃ０、ｍｃ１）は、測色器パラメータであり、Ｒｓ（λ）とＲｗ（λ）の取得に使用した測色器の機種が同じ場合は、（１、０）に設定される。
式５−１のとおり、蛍光レベルＲＦ（ｆ）は、ＵＶカットなしでの蛍光強さ予測値ｆの線形変換で近似できる。式５−１の線形変換パラメータα、βは、下記の方法を用いて、予め設定しておく。式５−２が、蛍光レベル差の算出式になる。
2016052038.tif 000007
2016052038.tif 000008
2016052038.tif 000009
2016052038.tif 000010
2016052038.tif 000011
【００２４】
式５の線形変換パラメータα、βは、予め設定しておく。蛍光レベルが比較的高い非標準記録媒体をいくつか測色して、（ａ）ＵＶカットなしでの非標準記録媒体の分光反射率と（ｂ）ＵＶカットありでの非標準記録媒体の分光反射率を取得し、（ｃ）ＵＶカットフィルタありとなしの差分を求める。
二次元平面の横軸に各非標準記録媒体の４４０ｎｍと５２０ｎｍの差分（＝蛍光強さ予測値ｆ）、縦軸に各非標準記録媒体の４４０ｎｍにおける差分値（＝蛍光レベルＲＦ（ｆ））をプロットし、近似直線を求める。近似直線の切片がα、傾きがβになる。
次に、蛍光レベル差を算出する。非標準記録媒体の蛍光レベルをＲＦ（ｆｕ）、標準記録媒体の蛍光レベルをＲＦ（ｆｓ）とすると、ＲＦ（ｆｕ’）−ＲＦ（ｆｓ）が蛍光レベル差になる。実際の計算では、式５−２のように、ＲＦ（ｆｓ）、ＲＦ（ｆｕ）を介さずに、線形変換パラメータβおよびｆｕ’およびｆｓから直接算出する。即ち、線形変換パラメータα、βのうち、βのみを記憶しておけばよい。線形変換パラメータβ、及び、図８の基本波形は、蛍光レベル予測パラメータとしてまとめて予め記憶部７に記憶しておく。
【００２５】
図９は、測色器の機種差を補正する測色器パラメータ（ｍｃ０、ｍｃ１）について、説明するための図である。
測色器パラメータ（ｍｃ０、ｍｃ１）は、様々な蛍光レベルのものを含むいくつかの非標準記録媒体を、標準記録媒体を測色するときに使用する測色器１と、別の測色器２で測色して、予め設定しておく。測色器２は、非標準記録媒体の測色で使用する可能性のある全ての機種が対象となる。複数の測色器２に対して、それぞれパラメータ（ｍｃ０、ｍｃ１）を設定しておく。
二次元平面の横軸に測色器２を用いて取得した各非標準記録媒体の分光反射率から求めた４４０ｎｍと５２０ｎｍの差分（＝蛍光強さ予測値ｆ）、縦軸に測色器２を用いて取得した各非標準記録媒体の分光反射率から求めた４４０ｎｍと５２０ｎｍの差分（＝蛍光強さ予測値ｆ）をプロットして、近似直線を求める。近似直線の切片がｍｃ１、傾きがｍｃ０になる。
【００２６】
図１０は、蛍光レベル変換処理モジュール６０、７０について説明するための図である。
第一の標準記録媒体とＸの蛍光レベル差に応じて記録媒体間分光反射率の差分値を推定し、第一の標準記録媒体に形成したパッチ分光反射率と合成してＸにおけるパッチの予測分光反射率を求める。
記録媒体間分光反射率差分推定処理モジュール６０１は、Ｘと第一の標準記録媒体の分光反射率差分のうち蛍光レベル差による差分値を推定する。記憶部７に記憶された蛍光レベル予測パラメータ（図８の基本波形）および色材マスキングパラメータに基づいて標準記録媒体に形成したパッチ分光反射率の夫々に対応した差分値を推定する。蛍光レベル予測パラメータ、および、色材マスキングパラメータは、予め算出して記憶部７に記憶しておく。
【００２７】
図１１は、記録媒体間分光反射率差分推定処理について説明するための図である。
記録媒体間分光反射率差分推定処理モジュール６０１では、算出した蛍光レベル差を図８に示す基本波形に乗算した値が、標準記録媒体と非標準記録媒体の記録媒体間における非標準記録媒体の分光反射率差分推定値になる。
非標準記録媒体の分光反射率差分推定値、及び、記憶部７に予め記憶された色材マスキングパラメータを基に、非標準記録媒体間におけるカラーパッチ分光反射率差分を推定する。
色材マスキングパラメータＰｗ、Ｐｃ、Ｐｍ、Ｐｙ…は、４Ｄ−ＬＵＴ（四次元ＬＵＴ（Look Up Table））の頂点１６点で設定されている。各頂点に対応したカラーパッチ分光反射率差分推定値は、非標準記録媒体の分光反射率差分推定値に色材マスキングパラメータを乗算した値になる。例えば（Ｃ、Ｍ、Ｙ、Ｋ）＝（１００、０、０、０）のカラーパッチ分光反射率差分推定値は、非標準記録媒体の分光反射率差分推定値に色材マスキングパラメータＰｃを乗算した値になる。
４Ｄ−ＬＵＴの中間点（頂点以外）に対応したカラーパッチ分光反射率差分推定値は、頂点の分光反射率差分推定値をカラーパッチ網点面積率に応じた比率で線形補間して算出する。
【００２８】
図１２は、記録媒体間分光反射率差分推定で使用する色材マスキングパラメータについて説明するための図である。
非標準記録媒体に含まれる蛍光増白剤は、紫外光を吸収して青色の光を放射する。非標準記録媒体の上に紫外光の透過率が低い色材が載ると、測色器におけるＵＶカットフィルタと似た効果を発揮し、非標準記録媒体に照射される紫外光が減るため放射される青色の光も減る。そのため、蛍光レベルが異なる非標準記録媒体間の分光反射率差分が小さくなる。
色材マスキングパラメータは、各色材の紫外光の透過率を反映したパラメータである。非標準記録媒体白色におけるパラメータＰＷ＝１に対して、Ｙ（イエロー）単色の色材マスキングパラメータはＰＹ＝０．０２であり、紫外光の透過率が低い色材であることを表した値になっている。
【００２９】
図１３は、標準記録媒体に形成したパッチ分光反射率、及び、合成について説明するための図である。
標準記録媒体に形成したパッチ分光反射率が、図１３に示す格子点に対応した２４０１個のカラーパッチに関して予め測色され、記憶部７に記憶されているものとする。
記録媒体間分光反射率差分推定処理モジュール６０１で各格子点に対応したカラーパッチ分光反射率差分推定値を算出し、合成処理モジュール６０２で標準記録媒体に形成したパッチ分光反射率との加算値を求める。その加算値が、非標準記録媒体におけるパッチの予測分光反射率になる。
【００３０】
以上のように、第一の標準記録媒体に形成されたカラーパッチ群の測色値、第二の標準記録媒体の分光反射率、及び非標準記録媒体の分光反射率に基づいて、非標準記録媒体に形成される画像の見かけ上の色を第二の標準記録媒体に形成される画像の見かけ上の色と一致させるための補正パラメータを設定し、補正パラメータに基づいて、第二の標準記録媒体のカラープロファイルを非標準記録媒体に対応する値に修正することにより、非標準記録媒体に対応したカラープロファイルを生成するという簡易な変更で、第二の標準記録媒体に形成される画像の見かけ上の色と、カラープロファイルが異なる非標準記録媒体に形成される画像の見かけ上の色とを一致させることができる。
【００３１】
また、補正パラメータを設定するための第二の標準記録媒体の分光反射率、非標準記録媒体の分光反射率、第二の標準記録媒体のカラープロファイルを取得することができる。
さらに、第一の標準記録媒体に形成されたカラーパッチ群の測色値、及び第二の標準記録媒体の分光反射率に基づいて、第二の標準記録媒体に形成されたカラーパッチ群の出力色を予測し、第一の標準記録媒体に形成したカラーパッチ群の測色値、及び非標準記録媒体の分光反射率に基づいて、非標準記録媒体に形成されたカラーパッチ群の出力色を予測し、第二の標準記録媒体に形成されたカラーパッチ群の出力色の予測値、及び非標準記録媒体に形成されたカラーパッチ群の出力色の予測値に基づいて、非標準記録媒体に形成される画像の見かけ上の色を第二の標準記録媒体に形成される画像の見かけ上の色と一致させるための補正パラメータを設定することができる。
また、第一の標準記録媒体の分光反射率、及び第二の標準記録媒体の分光反射率に基づいて、第一の標準記録媒体と第二の標準記録媒体との間の蛍光レベル差を算出し、算出された第一の標準記録媒体と第二の標準記録媒体との間の蛍光レベル差に基づいて、第一の標準記録媒体に形成されたカラーパッチ群の測色値を変換して第二の標準記録媒体に形成されたカラーパッチ群の出力色の予測値とすることができる。
【００３２】
また、第一の標準記録媒体の分光反射率、及び非標準記録媒体の分光反射率に基づいて、第一の標準記録媒体と非標準記録媒体との間の蛍光レベル差を算出し、算出された第一の標準記録媒体と非標準記録媒体との間の蛍光レベル差に基づいて、第一の標準記録媒体に形成されたカラーパッチ群の測色値を変換して非標準記録媒体に形成したカラーパッチ群の出力色の予測値とすることができる。
さらに、第二の標準記録媒体や非標準記録媒体の白色部分の分光反射率のみを用いて、非標準記録媒体に形成される画像の見かけ上の色を第二の標準記録媒体に形成される画像の見かけ上の色と一致させるための補正パラメータを設定することができる。
【００３３】
＜変形例＞
図１４は、本発明の第一の実施形態の変形例について説明するための図である。
ここでは、第１実施形態（図１）における蛍光補正部２Ａに代わって、プロファイル修正部８を設ける。本実施形態では、補正パラメータ設定部６Ａで設定された補正パラメータｍ１１〜ｍ３４を、プロファイル修正部８に適用する。
図１４に示すプロファイル修正部８は、第二の標準記録媒体プロファイルを修正して記録媒体プロファイルを生成する。色変換部３Ａでは、生成した記録媒体プロファイルを使用して入力画像の色変換を行う。
プロファイル修正部８では、第１実施形態における蛍光補正部における蛍光補正前のＬａｂ値が入力、第二の標準記録媒体プロファイルに基づいて色変換部３Ａの後のＣＭＹＫが出力となるように、記録媒体プロファイルを生成する。
【００３４】
＜第２実施形態＞
図１５は、本発明の第二の実施形態に係る画像処理装置２００について説明するための図である。
標準記録媒体切り替え方法選択部１３Ａは、標準記録媒体を第二の標準記録媒体以外から第二の標準記録媒体に切り替える場合、ユーザがその切り替え方法を「簡易版」と「高精度版」の２つから選択する。
「簡易版」が選択された場合は、第一の実施例と同じく、補正パラメータ設定部６Ａにより補正パラメータが設定され、図１あるいは図１４に示すように画像処理装置２００内で適用される。この場合、第二の標準記録媒体に関しては、白色部分の測色を行うだけでよい。
「高精度版」がされた場合は、従来例と同じく、補正パラメータ設定部６により補正パラメータが設定され、図１あるいは図１４に示すように画像処理装置２００内で適用される。この場合、第二の標準記録媒体に関しては、第二の標準記録媒体に形成した多数のカラーパッチの測色が必要になる。
【００３５】
図１６は、図１５の補正パラメータ設定部６について説明するための図である。
第１実施形態では図３に示す予測部（第二の標準記録媒体出力色予測部６４、記録媒体出力色予測部６５）を２つ有する構成であるのに対して、第２実施形態では、予測部が記録媒体出力色予測部６５の１つから構成されていることを特徴点とする。
第２実施形態では、「高精度版」がされた場合は、多くの測色が必要になる一方、予測部が記録媒体出力色予測部６５の１つのみで補正パラメータを設定でき、予測誤差を小さくすることができる。
【００３６】
＜本発明の実施態様例と効果＞
＜第１態様＞
本態様の画像処理装置１００は、プリンタ出力部４により画像を形成される記録媒体であって、夫々のカラープロファイルが異なる第一の標準記録媒体、又は第二の標準記録媒体に形成される画像の見かけ上の色と、カラープロファイルが異なる非標準記録媒体に形成される画像の見かけ上の色とを一致させるように補正パラメータを設定する画像処理装置１００であって、第一の標準記録媒体に形成されたカラーパッチ群の測色値を予め記憶する記憶部７と、記憶部７から取得した第一の標準記録媒体に形成されたカラーパッチ群の測色値、第二の標準記録媒体の分光反射率、及び非標準記録媒体の分光反射率に基づいて、非標準記録媒体に形成される画像の見かけ上の色を第二の標準記録媒体に形成される画像の見かけ上の色と一致させるための補正パラメータを設定する補正パラメー設定部６Ａと、補正パラメータに基づいて、第二の標準記録媒体のカラープロファイルを非標準記録媒体に対応する値に修正することにより、非標準記録媒体に対応したカラープロファイルを生成する補正パラメー設定部６Ａ、を備えたことを特徴とする。
本態様によれば、第一の標準記録媒体に形成されたカラーパッチ群の測色値、第二の標準記録媒体の分光反射率、及び非標準記録媒体の分光反射率に基づいて、非標準記録媒体に形成される画像の見かけ上の色を第二の標準記録媒体に形成される画像の見かけ上の色と一致させるための補正パラメータを設定し、補正パラメータに基づいて、第二の標準記録媒体のカラープロファイルを非標準記録媒体に対応する値に修正することにより、非標準記録媒体に対応したカラープロファイルを生成するという簡易な変更で、第二の標準記録媒体に形成される画像の見かけ上の色と、カラープロファイルが異なる非標準記録媒体に形成される画像の見かけ上の色とを一致させることができる。
【００３７】
＜第２態様＞
本態様の画像処理装置１００は、第二の標準記録媒体の分光反射率を取得する第二の標準記録媒体分光反射率取得部１２と、非標準記録媒体の分光反射率を取得する非標準記録媒体分光反射率取得部５Ａと、第二の標準記録媒体のカラープロファイルを取得する第二の標準記録媒体対応カラープロファイル取得部１７と、を備えたことを特徴とする。
本態様によれば、補正パラメータを設定するための第二の標準記録媒体の分光反射率、非標準記録媒体の分光反射率、第二の標準記録媒体のカラープロファイルを取得することができる。
【００３８】
＜第３態様＞
本態様の補正パラメータ設定部６Ａは、第一の標準記録媒体に形成されたカラーパッチ群の測色値、及び第二の標準記録媒体の分光反射率に基づいて、第二の標準記録媒体に形成されたカラーパッチ群の出力色を予測する第二の標準記録媒体出力色予測部６４と、第一の標準記録媒体に形成したカラーパッチ群の測色値、及び非標準記録媒体の分光反射率に基づいて、非標準記録媒体に形成されたカラーパッチ群の出力色を予測する記録媒体出力色予測部６５と、を備え、第二の標準記録媒体に形成されたカラーパッチ群の出力色の予測値、及び非標準記録媒体に形成されたカラーパッチ群の出力色の予測値に基づいて、非標準記録媒体に形成される画像の見かけ上の色を第二の標準記録媒体に形成される画像の見かけ上の色と一致させるための補正パラメータを設定することを特徴とする。
本態様によれば、第一の標準記録媒体に形成されたカラーパッチ群の測色値、及び第二の標準記録媒体の分光反射率に基づいて、第二の標準記録媒体に形成されたカラーパッチ群の出力色を予測し、第一の標準記録媒体に形成したカラーパッチ群の測色値、及び非標準記録媒体の分光反射率に基づいて、非標準記録媒体に形成されたカラーパッチ群の出力色を予測し、第二の標準記録媒体に形成されたカラーパッチ群の出力色の予測値、及び非標準記録媒体に形成されたカラーパッチ群の出力色の予測値に基づいて、非標準記録媒体に形成される画像の見かけ上の色を第二の標準記録媒体に形成される画像の見かけ上の色と一致させるための補正パラメータを設定することができる。
【００３９】
＜第４態様＞
本態様の画像処理装置は、第一の標準記録媒体に形成されたカラーパッチ測色値は、当該カラーパッチが形成されていない部分の第一の標準記録媒体の分光反射率の測色値を含み、第二の標準記録媒体出力色予測部６４は、第一の標準記録媒体の分光反射率、及び第二の標準記録媒体の分光反射率に基づいて、第一の標準記録媒体と第二の標準記録媒体との間の蛍光レベル差を算出し、算出された第一の標準記録媒体と第二の標準記録媒体との間の蛍光レベル差に基づいて、第一の標準記録媒体に形成されたカラーパッチ群の測色値を変換して第二の標準記録媒体に形成されたカラーパッチ群の出力色の予測値とすることを特徴とする。
本態様によれば、第一の標準記録媒体の分光反射率、及び第二の標準記録媒体の分光反射率に基づいて、第一の標準記録媒体と第二の標準記録媒体との間の蛍光レベル差を算出し、算出された第一の標準記録媒体と第二の標準記録媒体との間の蛍光レベル差に基づいて、第一の標準記録媒体に形成されたカラーパッチ群の測色値を変換して第二の標準記録媒体に形成されたカラーパッチ群の出力色の予測値とすることができる。
【００４０】
＜第５態様＞
本態様の画像処理装置１００は、第一の標準記録媒体に形成されたカラーパッチ測色値は、当該カラーパッチが形成されていない部分の第一の標準記録媒体の分光反射率の測色値を含み、記録媒体出力色予測部６５は、第一の標準記録媒体の分光反射率、及び非標準記録媒体の分光反射率に基づいて、第一の標準記録媒体と非標準記録媒体との間の蛍光レベル差を算出し、算出された第一の標準記録媒体と非標準記録媒体との間の蛍光レベル差に基づいて、第一の標準記録媒体に形成されたカラーパッチ群の測色値を変換して非標準記録媒体に形成したカラーパッチ群の出力色の予測値とすることを特徴とする。
本態様によれば、第一の標準記録媒体の分光反射率、及び非標準記録媒体の分光反射率に基づいて、第一の標準記録媒体と非標準記録媒体との間の蛍光レベル差を算出し、算出された第一の標準記録媒体と非標準記録媒体との間の蛍光レベル差に基づいて、第一の標準記録媒体に形成されたカラーパッチ群の測色値を変換して非標準記録媒体に形成したカラーパッチ群の出力色の予測値とすることができる。
【００４１】
＜第６態様＞
本態様の分光反射率は、当該記録媒体の白色部分の分光反射率であることを特徴とする。
本態様によれば、第二の標準記録媒体や非標準記録媒体の白色部分の分光反射率のみを用いて、非標準記録媒体に形成される画像の見かけ上の色を第二の標準記録媒体に形成される画像の見かけ上の色と一致させるための補正パラメータを設定することができる。
【００４２】
＜第７態様＞
本態様の画像処理方法は、画像形成装置により画像を形成される記録媒体であって、夫々のカラープロファイルが異なる第一の標準記録媒体、又は第二の標準記録媒体に形成される画像の見かけ上の色と、カラープロファイルが異なる非標準記録媒体に形成される画像の見かけ上の色とを一致させるように補正パラメータを設定する画像処理方法であって、
第一の標準記録媒体に形成されたカラーパッチ群の測色値を予め記憶部７に記憶し、補正パラメー設定部６Ａが、記憶部７から取得した前記第一の標準記録媒体に形成されたカラーパッチ群の測色値、第二の標準記録媒体の分光反射率、及び非標準記録媒体の分光反射率に基づいて、非標準記録媒体に形成される画像の見かけ上の色を第二の標準記録媒体に形成される画像の見かけ上の色と一致させるための補正パラメータを設定し、補正パラメー設定部６Ａが、補正パラメータに基づいて、第二の標準記録媒体のカラープロファイルを非標準記録媒体に対応する値に修正することにより、非標準記録媒体に対応したカラープロファイルを生成することを特徴とする。
本態様によれば、第一の標準記録媒体に形成されたカラーパッチ群の測色値、第二の標準記録媒体の分光反射率、及び非標準記録媒体の分光反射率に基づいて、非標準記録媒体に形成される画像の見かけ上の色を第二の標準記録媒体に形成される画像の見かけ上の色と一致させるための補正パラメータを設定し、補正パラメータに基づいて、第二の標準記録媒体のカラープロファイルを非標準記録媒体に対応する値に修正することにより、非標準記録媒体に対応したカラープロファイルを生成するという簡易な変更で、第二の標準記録媒体に形成される画像の見かけ上の色と、カラープロファイルが異なる非標準記録媒体に形成される画像の見かけ上の色とを一致させることができる。
【００４３】
＜第８態様＞
本態様のプログラムは、第７態様の各ステップをプロセッサに実行させることを特徴とする。
本態様によれば、第一の標準記録媒体に形成されたカラーパッチ群の測色値、第二の標準記録媒体の分光反射率、及び非標準記録媒体の分光反射率に基づいて、非標準記録媒体に形成される画像の見かけ上の色を第二の標準記録媒体に形成される画像の見かけ上の色と一致させるための補正パラメータを設定し、補正パラメータに基づいて、第二の標準記録媒体のカラープロファイルを非標準記録媒体に対応する値に修正することにより、非標準記録媒体に対応したカラープロファイルを生成するという簡易な変更で、第二の標準記録媒体に形成される画像の見かけ上の色と、カラープロファイルが異なる非標準記録媒体に形成される画像の見かけ上の色とを一致させることができる。
【符号の説明】
【００４４】
１…入力画像取得部、２Ａ…蛍光補正部、３Ａ…色変換部、４…プリンタ出力部、５Ａ…非標準記録媒体分光反射率取得部、６Ａ…補正パラメータ設定部、７…記憶部、８…プロファイル修正部、１１…記録媒体測色器情報取得部、１２…第二の標準記録媒体分光反射率取得部、１３…第二の標準記録媒体測色器情報取得部、１３Ａ…標準記録媒体切り替え方法選択部、１７…第二の標準記録媒体対応カラープロファイル取得部、１８…第一の標準記録媒体に形成したカラーパッチ群の測色値取得部、２２…マトリクス変換処理モジュール、６０…蛍光レベル変換処理モジュール、６１…分光反射率→ＸＹＺ変換処理モジュール、６２…重回帰分析処理部、６３…白色補正部、６４…第二の標準記録媒体出力色予測部、６５…記録媒体出力色予測部、６００…蛍光レベル差算出処理モジュール、６０１…記録媒体間分光反射率差分推定処理モジュール、６０２…合成処理モジュール、６０４…予測処理モジュール、６０６…測色器パラメータ選択処理モジュール、６０７…測色器機種差補正処理モジュール、６０８…蛍光レベル差予測処理モジュール
【先行技術文献】
【特許文献】
【００４５】
【特許文献１】特開２０１４−１５０５２２公報
【特許文献２】特開２００８−１５３８１０公報
【図１】
2016052038.tif 000012
【図２】
2016052038.tif 000013
【図３】
2016052038.tif 000014
【図４】
2016052038.tif 000015
【図５】
2016052038.tif 000016
【図６】
2016052038.tif 000017
【図７】
2016052038.tif 000018
【図８】
2016052038.tif 000019
【図９】
2016052038.tif 000020
【図１０】
2016052038.tif 000021
【図１１】
2016052038.tif 000022
【図１２】
2016052038.tif 000023
【図１３】
2016052038.tif 000024
【図１４】
2016052038.tif 000025
【図１５】
2016052038.tif 000026
【図１６】
2016052038.tif 000027
【図１７】
2016052038.tif 000028
【図１８】
2016052038.tif 000029